(57)【要約】      （修正有）【課題】原稿を読み取って得られた読取画像データに対して原稿端部の情報の有無を切り替えた出力を可能とする。【解決手段】読取画像前処理部６１は、受光部９８が、原稿に形成された原稿画像を、この原稿の端部よりも外側に位置する背景画像とともに読み取って得られた受光データに各種前処理を施し、原稿画像データおよび背景画像データを含む入力画像読取画像データＤ１を得る。トリミング処理部６２は、通常原稿の画像を読み取る「通常モード」において、原稿画像データから各端部のデータを除外した中間読取画像データＤ２を作成し、画像形成装置によって出力されたアライメントチャートの画像を読み取る「調整モード」において、原稿画像データおよび背景画像データを含む中間読取画像データＤ２を作成する。【選択図】図４
2015029186.tif 000002
【特許請求の範囲】
【請求項１】
記録材に画像を形成する画像形成装置と、
原稿に形成された画像を読み取る画像読取装置と
を備え、
前記画像読取装置は、
前記原稿に形成された原稿画像を、当該原稿の端部よりも外側に位置する原稿外画像とともに読み取る読取手段と、
前記読取手段によって読み取られる前記原稿が、前記画像形成装置を用いて前記記録材に当該画像形成装置の調整用画像を形成した調整用原稿であるか、当該調整用原稿とは異なる通常原稿であるかについての指示を受け付ける受付手段と、
前記原稿が前記通常原稿である場合に、前記読取手段が読み取った、前記原稿画像および前記原稿外画像を含む読取画像データに基づいて当該原稿画像を含み且つ当該原稿外画像を含まない第１画像データを作成し、当該原稿が前記調整用原稿である場合に、当該読取画像データに基づいて当該原稿画像および当該原稿外画像を含む第２画像データを作成する作成手段と
を含む画像形成システム。
【請求項２】
前記第２画像データに基づいて前記画像形成装置における画像形成条件の調整を行う調整手段をさらに含むことを特徴とする請求項１記載の画像形成システム。
【請求項３】
前記作成手段は、前記原稿が前記通常原稿である場合に、前記原稿画像のうち当該原稿の端部をさらに含まない前記第１画像データを作成することを特徴とする請求項１または２記載の画像形成システム。
【請求項４】
原稿に形成された原稿画像を、当該原稿の端部よりも外側に位置する原稿外画像とともに読み取る読取手段と、
前記読取手段が読み取った、前記原稿画像および前記原稿外画像を含む読取画像データに対し、第１処理を施すか当該第１処理とは異なる第２処理を施すかについての指示を受け付ける受付手段と、
前記第１処理では、前記読取画像データに基づいて前記原稿画像を含み且つ前記原稿外画像を含まない第１画像データを作成し、前記第２処理では、当該読取画像データに基づいて当該原稿画像および当該原稿外画像を含む第２画像データを作成する作成手段と
を含む画像読取装置。
【請求項５】
前記作成手段は、前記第１処理において、前記原稿画像のうち前記原稿の端部をさらに含まない前記第１画像データを作成することを特徴とする請求項４記載の画像読取装置。
【請求項６】
前記作成手段は、前記第２処理において、前記読取画像データを前記第２画像データとすることを特徴とする請求項４または５記載の画像読取装置。
【請求項７】
前記作成手段は、前記第２処理において、前記読取画像データに前記原稿の端部が含まれるように切り取り処理を施して、前記原稿画像の一部および前記原稿外画像の一部を含む前記第２画像データを作成することを特徴とする請求項４または５記載の画像読取装置。
【請求項８】
前記第１処理において前記第１画像データを記憶し且つ前記第２処理において前記第２画像データを記憶する記憶手段をさらに含み、
前記作成手段は、前記第２処理において、前記第２画像データの容量が前記第１画像データの容量以下となるように、前記読取画像データに前記切り取り処理を施すことを特徴とする請求項７記載の画像読取装置。
【発明の詳細な説明】
【技術分野】
【０００１】
本発明は、画像形成システムおよび画像読取装置に関する。
【背景技術】
【０００２】
公報記載の従来技術として、イエロー、マゼンタ、シアンおよび黒の画像で構成されるフルカラー画像を形成するカラー画像形成手段と、原稿の画像を読み取る原稿読取手段とを備え、原稿読取手段で読み取った原稿の画像を、カラー画像形成手段を用いて転写紙上に形成するデジタルカラー複写機において、カラー画像形成手段を用いて転写紙上に各色画像を含む位置ずれ検出用のパターン画像を形成し、転写紙上に形成されたパターン画像を原稿読取手段にて読み取り、パターン画像の読み取り結果に基づいて、カラー画像形成手段におけるイエロー、マゼンタ、シアンおよび黒の各色の相対的な位置ずれを補正することが記載されている（特許文献１参照）。
【先行技術文献】
【特許文献】
【０００３】
【特許文献１】特開平４−３１７２４７号公報
【発明の概要】
【発明が解決しようとする課題】
【０００４】
本発明は、原稿を読み取って得られた読取画像データに対して原稿端部の情報の有無を切り替えた出力を可能とすることを目的とする。
【課題を解決するための手段】
【０００５】
請求項１記載の発明は、記録材に画像を形成する画像形成装置と、原稿に形成された画像を読み取る画像読取装置とを備え、前記画像読取装置は、前記原稿に形成された原稿画像を、当該原稿の端部よりも外側に位置する原稿外画像とともに読み取る読取手段と、前記読取手段によって読み取られる前記原稿が、前記画像形成装置を用いて前記記録材に当該画像形成装置の調整用画像を形成した調整用原稿であるか、当該調整用原稿とは異なる通常原稿であるかについての指示を受け付ける受付手段と、前記原稿が前記通常原稿である場合に、前記読取手段が読み取った、前記原稿画像および前記原稿外画像を含む読取画像データに基づいて当該原稿画像を含み且つ当該原稿外画像を含まない第１画像データを作成し、当該原稿が前記調整用原稿である場合に、当該読取画像データに基づいて当該原稿画像および当該原稿外画像を含む第２画像データを作成する作成手段とを含む画像形成システムである。
請求項２記載の発明は、前記第２画像データに基づいて前記画像形成装置における画像形成条件の調整を行う調整手段をさらに含むことを特徴とする請求項１記載の画像形成システムである。
請求項３記載の発明は、前記作成手段は、前記原稿が前記通常原稿である場合に、前記原稿画像のうち当該原稿の端部をさらに含まない前記第１画像データを作成することを特徴とする請求項１または２記載の画像形成システムである。
請求項４記載の発明は、原稿に形成された原稿画像を、当該原稿の端部よりも外側に位置する原稿外画像とともに読み取る読取手段と、前記読取手段が読み取った、前記原稿画像および前記原稿外画像を含む読取画像データに対し、第１処理を施すか当該第１処理とは異なる第２処理を施すかについての指示を受け付ける受付手段と、前記第１処理では、前記読取画像データに基づいて前記原稿画像を含み且つ前記原稿外画像を含まない第１画像データを作成し、前記第２処理では、当該読取画像データに基づいて当該原稿画像および当該原稿外画像を含む第２画像データを作成する作成手段とを含む画像読取装置。
請求項５記載の発明は、前記作成手段は、前記第１処理において、前記原稿画像のうち前記原稿の端部をさらに含まない前記第１画像データを作成することを特徴とする請求項４記載の画像読取装置である。
請求項６記載の発明は、前記作成手段は、前記第２処理において、前記読取画像データを前記第２画像データとすることを特徴とする請求項４または５記載の画像読取装置である。
請求項７記載の発明は、前記作成手段は、前記第２処理において、前記読取画像データに前記原稿の端部が含まれるように切り取り処理を施して、前記原稿画像の一部および前記原稿外画像の一部を含む前記第２画像データを作成することを特徴とする請求項４または５記載の画像読取装置である。
請求項８記載の発明は、前記第１処理において前記第１画像データを記憶し且つ前記第２処理において前記第２画像データを記憶する記憶手段をさらに含み、前記作成手段は、前記第２処理において、前記第２画像データの容量が前記第１画像データの容量以下となるように、前記読取画像データに前記切り取り処理を施すことを特徴とする請求項７記載の画像読取装置である。
【発明の効果】
【０００６】
請求項１記載の発明によれば、本構成を有していない場合と比較して、原稿を読み取って得られた読取画像データに対して原稿端部の情報の有無を切り替えた出力が可能になる。
請求項２記載の発明によれば、本構成を有していない場合と比較して、記録材に対する画像の形成位置を補正することができる。
請求項３記載の発明によれば、本構成を有していない場合と比較して、縁なしでの出力を行うことが可能になる。
請求項４記載の発明によれば、本構成を有していない場合と比較して、原稿を読み取って得られた読取画像データに対して原稿端部の情報の有無を切り替えた出力が可能になる。
請求項５記載の発明によれば、本構成を有していない場合と比較して、縁なしでの出力を行うことが可能になる。
請求項６記載の発明によれば、本構成を有していない場合と比較して、より容易に第２画像データを作成することができる。
請求項７記載の発明によれば、本構成を有していない場合と比較して、第２画像データのデータ容量を第１画像データのデータ容量以下とすることが可能になる。
請求項８記載の発明によれば、本構成を有していない場合と比較して、第１画像データおよび第２画像データを記憶させるメモリの増大を抑制することができる。
【図面の簡単な説明】
【０００７】
【図１】本発明の実施の形態が適用される複写機の全体構成例を示した図である。
【図２】複写機に設けられた画像読取装置の構成例を示した図である。
【図３】複写機の制御系の構成例を示したブロック図である。
【図４】画像読取制御部の構成例を示したブロック図である。
【図５】画像形成制御部の構成例を示したブロック図である。
【図６】アライメント調整動作において、画像形成装置が出力するアライメントチャートの構成例を示した図である。
【図７】画像読取装置における画像読取処理の手順を説明するためのフローチャートである。
【図８】（ａ）〜（ｃ）は、通常モードにおける読取画像処理の一例を説明するための図である。
【図９】（ａ）〜（ｃ）は、実施の形態１の調整モードにおける読取画像処理の一例を説明するための図である。
【図１０】（ａ）〜（ｃ）は、実施の形態２の調整モードにおける読取画像処理の他の一例を説明するための図である。
【図１１】（ａ）〜（ｃ）は、実施の形態３の調整モードにおける読取画像処理のさらに他の一例を説明するための図である。
【図１２】（ａ）〜（ｃ）は、実施の形態４の調整モードにおける読取画像処理の別の一例を説明するための図である。
【発明を実施するための形態】
【０００８】
＜実施の形態１＞
図１は、本実施の形態が適用される複写機１の全体構成例を示した図である。
画像形成システムの一例としての複写機１は、記録材の一例としての用紙に画像を形成する画像形成装置１０と、原稿に形成された画像を読み取る画像読取装置２０と、ユーザからの操作指示を受け付けるとともにユーザに対して各種情報を表示する操作受付装置３０とを備えている。なお、この複写機１は、図示しないネットワークを介してコンピュータ装置等と接続されており、画像読取装置２０と画像形成装置１０とを用いたコピー（複写）動作に加えて、画像形成装置１０を用いたプリント（画像形成）動作や画像読取装置２０を用いたスキャン（画像読取）動作が可能となっている。
【０００９】
これらのうち、画像形成装置１０は、例えば公知の電子写真方式にて、イエロー、マゼンタ、シアンおよび黒のトナー像を形成するトナー像形成部１１と、トナー像形成部１１に対向して配置されるとともに循環搬送される中間転写ベルト１２と、トナー像形成部１１が形成したトナー像を中間転写ベルト１２に一次転写する一次転写部１３と、中間転写ベルト１２に一次転写されたトナー像を用紙に二次転写する二次転写部１４と、用紙に二次転写されたトナー像を加熱加圧定着する定着部１５と、二次転写部１４に向けて用紙を供給する用紙供給部１６とを備えている。また、画像形成装置１０は、用紙供給部１６から供給されてくる用紙を、二次転写部１４および定着部１５を介して機外に設けられた用紙排出部１９に搬送するための第１搬送経路１７と、定着部１５を通過した用紙を、その表裏を反転させた状態で、二次転写部１４へと再度搬送するための第２搬送経路１８とを備えている。
【００１０】
また、操作受付装置３０は、ユーザに各種情報を表示するための表示パネル３１と、ユーザから各種操作指示を受け付けるためのボタン群３２とを備えている。
【００１１】
図２は、図１に示す複写機１に設けられた画像読取装置２０の構成例を示した図である。
この画像読み取り装置は、積載された原稿束から原稿を順次搬送する原稿送り装置７０と、スキャンによって原稿の第１面（表面）の画像を読み取るスキャナ装置９０とを備えている。
【００１２】
原稿送り装置７０は、複数枚の原稿からなる原稿束を積載する原稿収容部７１、この原稿収容部７１の下方に設けられ、読み取りが終了した原稿を積載する排紙収容部７２を備える。また、原稿送り装置７０は原稿収容部７１の原稿を取り出して搬送する取り出しロール７３を備える。さらに、取り出しロール７３の原稿搬送方向下流側には、原稿を１枚ずつに捌く捌き機構７４が設けられる。原稿収容部７１から排紙収容部７２に向けて原稿が搬送される搬送路７５には、原稿搬送方向上流側から順に、第１搬送ロール７６、第２搬送ロール７７、第３搬送ロール７８および第４搬送ロール７９が設けられる。これらのうち、第１搬送ロール７６および第２搬送ロール７７は、スキャナ装置９０による第１面の読み取り位置に向けて原稿を送り出す。第３搬送ロール７８は、第１面の読み取り位置を通過することによりスキャナ装置９０にて読み込まれた原稿をさらに下流に搬送する。そして、第４搬送ロール７９は、読み込まれた原稿をさらに搬送するとともに排紙収容部７２に排出する。
【００１３】
また、原稿送り装置７０における第１面の読み取り位置には、図中手前側から奥側に向かって伸びる白色の板状部材にて構成され、第１面の読み取り位置を通過する原稿の背景ともなる第１反射板８０が設けられている。この第１反射板８０は、シェーディング補正用の白基準としても用いられる。
【００１４】
また、原稿送り装置７０は、原稿収容部７１に収容される原稿の幅（主走査方向の長さ）を検知する原稿幅検知センサ８１を備えている。
【００１５】
そして、原稿送り装置７０は、搬送路７５のうち第３搬送ロール７８よりも原稿搬送方向下流側且つ第４搬送ロール７９よりも原稿搬送方向上流側において、搬送される原稿の第２面（裏面）の画像を読み取るＣＩＳ８２（Contact Image Sensor）をさらに備えている。このＣＩＳ８２は、所謂密着光学系を用いて結像を行うものである。また、搬送路７５を介してＣＩＳ８２と対向する位置には、図中手前側から奥側に向かって伸びる白色の板状部材にて構成され、第２面の読み取り位置を通過する原稿の背景ともなる第２反射板８３が設けられている。この第２反射板８３は、シェーディング補正用の白基準としても用いられる。
【００１６】
一方、スキャナ装置９０は、上述した原稿送り装置７０を開閉可能に支持するとともに、この原稿送り装置７０を装置フレーム９１によって支え、また、原稿送り装置７０によって搬送される原稿の第１面の画像読み取りを行う。このスキャナ装置９０は、筐体を形成する装置フレーム９１、画像を読み込むべき原稿が静止させた状態で置かれる第１プラテンガラス９２Ａ、第１反射板８０の下方に設けられ、原稿送り装置７０によって搬送される原稿を読み取るための光の開口部を構成する第２プラテンガラス９２Ｂを備えている。
【００１７】
また、スキャナ装置９０は、第２プラテンガラス９２Ｂの下に静止し、あるいは第１プラテンガラス９２Ａの全体にわたってスキャンして画像を読み込むフルレートキャリッジ９３、フルレートキャリッジ９３から得られた光を結像部へ供給するハーフレートキャリッジ９５を備えている。ここで、フルレートキャリッジ９３は、原稿に光を照射する光源装置９４Ａ（白色光源）および光源装置９４Ａからの光を原稿に向けて反射する光源ミラー９４Ｂと、原稿から得られた反射光を受光する第１ミラー９６Ａとを備えている。一方、ハーフレートキャリッジ９５は、第１ミラー９６Ａから得られた光を結像部へ提供する第２ミラー９６Ｂおよび第３ミラー９６Ｃを有している。
【００１８】
さらにまた、スキャナ装置９０は、結像用レンズ９７および受光部９８を備えている。これらのうち、結像用レンズ９７は、第３ミラー９６Ｃから得られた光学像を光学的に縮小する。また、読取手段の一例としての受光部９８は、結像用レンズ９７によって結像された光学像を光電変換する。つまり、スキャナ装置９０では、所謂縮小光学系を用いて受光部９８に像を結像させている。また、本実施の形態では、受光部９８として、それぞれが主走査方向に沿って設けられた赤色用、緑色用および青色用の各撮像素子列を、副走査方向に並べて配置したものを用いている。これにより、受光部９８を用いて、原稿に形成された画像をフルカラー画像として読み取るようになっている。
【００１９】
この画像読取装置２０において、第１プラテンガラス９２Ａに積載された原稿の画像を読み取る固定読取動作では、フルレートキャリッジ９３とハーフレートキャリッジ９５とが、２：１の割合でスキャン方向（矢印方向）に移動する。このとき、フルレートキャリッジ９３に設けられた光源装置９４Ａからの光が、原稿の第１面に照射される。そして、原稿からの反射光が第１ミラー９６Ａ、第２ミラー９６Ｂ、および第３ミラー７６Ｃの順に反射されて結像用レンズ９７に導かれる。結像用レンズ９７に導かれた光は、受光部９８の受光面に結像される。受光部４８を構成する各色用の撮像素子列はそれぞれ１次元のセンサで構成されており、主走査方向の１ライン分を同時に処理している。このライン方向（読み取りの主走査方向）と交差する方向（読み取りの副走査方向）にフルレートキャリッジ９３およびハーフレートキャリッジ９５を移動させ、原稿の次の１ラインを読み取る。これを原稿の全体に亘って実行することで、１ページの原稿読み取りを完了させる。
【００２０】
一方、この画像読取装置２０において、原稿送り装置７０によって搬送される原稿の画像を読み取る搬送読取動作では、副走査方向に搬送される原稿がこの第２プラテンガラス９２Ｂの上を通過する。このとき、フルレートキャリッジ９３およびハーフレートキャリッジ９５は、図２に示す実線の位置に停止した状態におかれる。そして、搬送されてくる原稿の１ライン目の反射光が、第１ミラー９６Ａ、第２ミラー９６Ｂ、および第３ミラー９６Ｃを経て結像用レンズ９７にて結像され、受光部９８によって画像が読み込まれる。それから、受光部９８によって主走査方向の１ライン分を同時に処理した後、原稿送り装置７０によって副走査方向に搬送される原稿の次の主走査方向の１ライン分が読み込まれる。これを原稿の全体にわたって実行することで、１ページの原稿読み取りを完了させる。
【００２１】
この画像読取装置２０では、上記搬送読取動作において、フルレートキャリッジ９３とハーフレートキャリッジ９５とを停止させ、第２プラテンガラス９２Ｂを介して受光部９８により原稿の第１面の読み取りを行う原稿の搬送時に、原稿送り装置７０に設けられたＣＩＳ８２によって、この原稿の第２面の読み取りを行うことが可能である。すなわち、受光部９８とＣＩＳ８２とを用いて、搬送路７５への原稿の一度の搬送で、この原稿における表裏両面の画像を読み取ることを可能としている。ここで、本実施の形態では、受光部９８による原稿の第１面の読み取り位置よりも、ＣＩＳ８２による原稿の第２面の読み取り位置を、原稿搬送方向下流側にずらしている。
【００２２】
図３は、図１に示す複写機１の制御系の構成例を示したブロック図である。
複写機１の制御系は、操作受付装置３０にて受け付けたユーザの指示に基づいて、複写機１全体の動作を制御する主制御部４０と、主制御部４０からの指示に基づいて画像形成装置１０の動作を制御する画像形成制御部５０と、主制御部４０からの指示に基づいて画像読取装置２０の動作を制御する画像読取制御部６０とを備えている。この例では、主制御部４０および画像形成制御部５０が画像形成装置１０に内蔵され、画像読取制御部６０が画像読取装置２０に内蔵される。ただし、複写機１の場合は、これら主制御部４０、画像形成制御部５０および画像読取制御部６０を、すべて画像形成装置１０に内蔵させてもかまわない。なお、画像形成制御部５０は、画像形成動作を制御するほかに画像形成動作に関連する画像処理も行い、画像読取制御部６０は、画像読取動作を制御するほかに画像読取動作に関連する画像処理も行う。
【００２３】
図４は、図３に示す画像読取制御部６０の構成例を示したブロック図である。
本実施の形態の画像読取制御部６０は、読取画像前処理部６１と、トリミング処理部６２と、読取画像記憶部６３と、読取画像後処理部６４とを備える。
【００２４】
読取画像前処理部６１は、受光部９８から入力されてくるアナログの読取画像データに、ゲイン調整、Ａ（アナログ）／Ｄ（デジタル）変換、シェーディング補正およびギャップ補正などの前処理を施し、デジタル化された入力読取画像データＤ１として出力する。
【００２５】
受付手段および作成手段の一例としてのトリミング処理部６２は、操作受付装置３０から主制御部４０を介して入力される読取モード（通常モードまたは調整モード：詳細は後述する）の情報に基づき、読取画像前処理部６１から入力されてくる入力読取画像データＤ１に対し、必要に応じて、その一部を切り取るトリミング処理（切り取り処理）を施し、得られた中間読取画像データＤ２を出力する。
【００２６】
記憶手段の一例としての読取画像記憶部６３は、トリミング処理部６２から入力されてくる中間読取画像データＤ２を記憶する。なお、読取画像記憶部６３は、例えばＲＡＭ（Random Access Memory）で構成されている。
【００２７】
読取画像後処理部６４は、読取画像記憶部６３から読み出した中間読取画像データＤ２に対し、必要に応じて、色空間を変換する処理や拡大・縮小処理などの後処理を施し、得られた出力読取画像データＤ３を、図３に示す主制御部４０に出力する。
【００２８】
図５は、図３に示す画像形成制御部５０の構成例を示したブロック図である。
本実施の形態の画像形成制御部５０は、形成画像処理部５１と、調整用画像記憶部５２と、調整用画像解析部５３と、ずれ補正部５４とを備える。
【００２９】
形成画像処理部５１は、例えば画像読取装置２０から主制御部４０を介して入力されてくる出力読取画像データＤ３など、画像形成装置１０による画像形成の対象となる画像データを、トナー像形成部１１での画像形成方式に対応させた画像信号に変換する処理を行う。
【００３０】
調整用画像記憶部５２は、画像形成装置１０による画像形成動作において、画像形成装置１０を構成する各部（例えばトナー像形成部１１）のアライメントのずれに起因した、各色画像の相対的なずれや用紙に対する各色画像の相対的なずれを調整するアライメント調整動作において、用紙に形成する調整用画像の内容（調整用画像データ）を記憶する。
【００３１】
調整用画像解析部５３は、上記アライメント調整動作において、画像形成装置１０で調整用画像を形成した用紙（以下では、アライメントチャートと呼ぶ）を、画像読取装置２０で読み取って得られた出力読取画像データＤ３（調整用読取画像データ）に基づき、実際に用紙に形成された調整用画像の内容を解析する。
【００３２】
ずれ補正部５４は、調整用画像解析部５３による調整用画像の解析結果に基づき、トナー像形成部１１等のアライメント調整（タイミング調整）を行うことで、上記各種ずれを補正する。
なお、本実施の形態では、これら調整用画像解析部５３およびずれ補正部５４が、調整手段としての機能を有している。
【００３３】
図６は、上述したアライメント調整動作において、画像形成装置１０が出力するアライメントチャート１００の構成例を示した図である。
この例において、調整用原稿の一例としてのアライメントチャート１００を構成する用紙は長方形状を呈するようになっており、用紙の短辺側が主走査方向ＦＳに沿い、且つ、用紙の長辺側が副走査方向ＳＳに沿うようになっている。ただし、用紙の長辺側が主走査方向ＦＳに沿い、且つ、用紙の短辺側が副走査方向ＳＳに沿う場合もあり得る。なお、以下の説明においては、アライメントチャート１００のうち、副走査方向ＳＳの上流側となる辺を用紙前端１０１と呼び、副走査方向ＳＳの下流側となる辺を用紙後端１０２と呼び、調整用画像の形成面（図中手前側を向く面）の左側となる辺を用紙左端１０３と呼び、調整用画像の形成面の右側となる辺を用紙右端１０４と呼ぶ。
【００３４】
このアライメントチャート１００は、調整用画像として、用紙前端１０１側において主走査方向ＦＳに沿って延びる前端側水平ライン１１１と、用紙後端１０２側において主走査方向ＦＳに沿って延びる後端側水平ライン１１２と、用紙左端１０３側において副走査方向ＳＳに沿って延びる左側垂直ライン１１３と、用紙右端１０４側において副走査方向ＳＳに沿って延びる右側垂直ライン１１４とを有している。そして、前端側水平ライン１１１および左側垂直ライン１１３は、アライメントチャート１００における図中左上側において交差しており、この交点を第１特徴点１２１と呼ぶ。また、前端側水平ライン１１１および右側垂直ライン１１４は、アライメントチャート１００における図中右上側において交差しており、この交点を第２特徴点１２２と呼ぶ。さらに、後端側水平ライン１１２および左側垂直ライン１１３はアライメントチャート１００における図中左下側において交差しており、この交点を第３特徴点１２３と呼ぶ。さらにまた、後端側水平ライン１１２および右側垂直ライン１１４はアライメントチャート１００における図中右下側で交差しており、この交点を第４特徴点１２４と呼ぶ。
【００３５】
また、アライメントチャート１００は、前端側水平ライン１１１、後端側水平ライン１１２、左側垂直ライン１１３および右側垂直ライン１１４によって囲まれた領域のうち、図中左上側（第１特徴点１２１の近く）に配置された第１識別画像１３１と、図中右上側（第２特徴点１２２の近く）に配置された第２識別画像１３２と、図中左下側（第３特徴点１２３の近く）に配置された第３識別画像１３３と、図中右下側（第４特徴点１２４の近く）に配置された第４識別画像１３４とをさらに有している。なお、これら第１識別画像１３１、第２識別画像１３２、第３識別画像１３３および第４識別画像１３４は、上記前端側水平ライン１１１、後端側水平ライン１１２、左側垂直ライン１１３および右側垂直ライン１１４や、上記第１特徴点１２１、第２特徴点１２２、第３特徴点１２３および第４特徴点１２４を識別するために設けられる。
【００３６】
なお、以下では、アライメントチャート１００だけでなく、画像読取装置２０において画像の読取対象となる通常の原稿（用紙）についても、用紙前端１０１、用紙後端１０２、用紙左端１０３および用紙右端１０４を用いて説明を行うことがある。
【００３７】
図７は、本実施の形態の画像読取装置２０における画像読取処理の手順を説明するためのフローチャートである。以下に説明する処理は、図４に示す画像読取制御部６０によって実行される。なお、本実施の形態の画像読取装置２０では、上述したように、固定読取動作と搬送読取動作とが可能であるが、ここでは、搬送読取動作を実行する場合を例とする。また、本実施の形態の画像読取装置２０では、上述したように、搬送読取動作において、搬送される原稿の第１面のみを読み取る片面読取動作と、搬送される原稿の第１面および第２面をともに読み取る両面読取動作とが可能であるが、ここでは、片面読取動作を実行する場合を例とする。以下では、搬送読取動作のうちの片面読取動作を、片面搬送読取動作と呼ぶ。そして、片面搬送読取動作においては、後述する読取モードの違いにかかわらず、主走査方向ＦＳの読取解像度および副走査方向ＳＳの読取解像度が、ともに３００ｄｐｉ（dot per inch）に設定されているものとする。すなわち、読取モードに関わらず、読取解像度は一定に維持されるものとする。
【００３８】
画像読取制御部６０に設けられたトリミング処理部６２は、画像読取処理の開始に先立って、操作受付装置３０にてユーザから受け付けた読取モードの情報を、操作受付装置３０から主制御部４０を介して取得する（ステップ１０１）。ここで、ステップ１０１では、読取モードとして、文字画像や写真画像など、一般的な画像が形成された用紙を原稿（通常原稿）とする「通常モード」、あるいは、画像形成装置１０によって出力されたアライメントチャート１００（図６参照）を原稿とする「調整モード」のいずれかが指示される。なお、本実施の形態では、「通常モード」が第１処理に、「調整モード」が第２処理に、それぞれ対応している。
【００３９】
なお、操作受付装置３０にて「調整モード」を受け付けた場合、画像形成装置１０は、図６に示すアライメントチャート１００を出力するための画像形成動作を行う。そして、出力されたアライメントチャート１００は、画像読取装置２０に設けられた原稿収容部７１にセットされる。
【００４０】
次に、画像読取装置２０により、片面搬送読取動作にて、読取対象となる原稿の読取動作が実行される。これに伴い、読取画像前処理部６１は、受光部４８から受光データすなわち原稿の読み取りデータを取得する（ステップ１０２）。続いて、読取画像前処理部６１は、取得した受光データに各種前処理を施すことで入力読取画像データＤ１を作成し、トリミング処理部６２に出力する（ステップ１０３）。
【００４１】
そして、トリミング処理部６２は、ステップ１０１で取得した読取モードが、通常モードであったか否かを判断する（ステップ１０４）。ステップ１０４において肯定の判断（ＹＥＳ）を行った場合、すなわち、読取モードが「通常モード」であった場合、トリミング処理部６２は、読取画像前処理部６１から入力されてくる入力読取画像データＤ１に対し、通常トリミング処理を施すことで中間読取画像データＤ２を作成し、読取画像記憶部６３に出力する（ステップ１０５）。なお、「通常トリミング処理」の詳細については後述する。
【００４２】
一方、ステップ１０４において否定の判断（ＮＯ）を行った場合、すなわち、読取モードが「調整モード」であった場合、トリミング処理部６２は、読取画像前処理部６１から入力されてくる入力読取画像データＤ１に対し、上記通常トリミング処理とは異なる調整トリミング処理を施すことで中間読取画像データＤ２を作成し、読取画像記憶部６３に出力する（ステップ１０６）。なお、「調整トリミング処理」の詳細については後述する。
【００４３】
続いて、読取画像記憶部６３は、ステップ１０４またはステップ１０５で作成された中間読取画像データＤ２をメモリに記憶する（ステップ１０７）。次いで、読取画像後処理部６４は、中間読取画像データＤ２を読取画像記憶部６３のメモリから読み出し（ステップ１０８）、読み出した中間読取画像データＤ２に、必要に応じて各種後処理を施すことで出力読取画像データＤ３を作成し、主制御部４０に向けて出力する（ステップ１０９）。
以上により、原稿（アライメントチャート１００）１ページ分の画像読取処理が完了する。
【００４４】
では次に、上述した「通常トリミング処理」および「調整トリミング処理」のそれぞれについて説明を行う。
【００４５】
図８は、通常モードにおける読取画像処理の一例を説明するための図である。ここで、図８（ａ）はトリミング処理部６２に入力される入力読取画像データＤ１の内容を、図８（ｂ）はトリミング処理部６２が実行する「通常トリミング処理」の内容を、図８（ｃ）はトリミング処理部６２から出力され且つ読取画像記憶部６３に入力される、通常トリミング処理が施された中間読取画像データＤ２の内容を、それぞれ示した図である。
【００４６】
まず、図８（ａ）に示す入力読取画像データＤ１について説明を行う。
読取画像データの一例としての入力読取画像データＤ１は、原稿を読み取って得られた原稿画像データＤ１１と、第１反射板８０を読み取って得られた背景画像データＤ１２とを有している。ここで、原稿画像データＤ１１は、原稿画像を読み取った結果に対応しており、背景画像データＤ１２は、背景画像すなわち原稿外画像を読み取った結果に対応している。
【００４７】
ここで、本実施の形態の画像読取装置２０では、片面搬送読取動作において、原稿の第１面の全面を読み取るように、受光部４８による読取領域の設定を行っている。より具体的に説明すると、まず、搬送される原稿の第１面の読み取り開始タイミングを、受光部４８による第１面の読み取り位置に原稿の前端が到達する前とし、且つ、この原稿の第１面の読取終了タイミングを、受光部４８による第１面の読み取り位置を原稿の後端が通過した後としている。これにより、入力読取画像データＤ１は、原稿における副走査方向ＳＳの両端すなわち用紙前端１０１および用紙後端１０２を含むものとなっている。また、受光部４８を構成する各色用受光素子列の主走査方向ＦＳの長さを、原稿の主走査方向ＦＳの長さ（原稿幅）よりも大きくしている。これにより、入力読取画像データＤ１は、原稿における主走査方向ＦＳの両端すなわち用紙左端１０３および用紙右端１０４を含むものとなっている。したがって、入力読取画像データＤ１は、用紙前端１０１、用紙後端１０２、用紙左端１０３および用紙右端１０４をすべて含んでいる。
【００４８】
次に、図８（ｂ）に示す「通常トリミング処理」の内容について、図８（ｃ）に示す中間読取画像データＤ２も参照しつつ説明を行う。
通常モードにおいて、トリミング処理部６２は、図８（ｂ）に示すトリミング枠２００を用い、トリミング枠２００の内側に存在する画像データを抽出するとともに、トリミング枠２００の外側に存在する画像データを除外する処理（トリミング処理）を行う。
【００４９】
ここで、通常モードにおいては、トリミング枠２００の大きさが、原稿画像データＤ１１のサイズよりもわずかに小さく設定される。より具体的に説明すると、通常モードでは、トリミング枠２００の主走査方向ＦＳの長さを原稿画像データＤ１１の主走査方向ＦＳの長さ未満に設定し、且つ、トリミング枠２００の副走査方向ＳＳの長さを原稿画像データＤ１１の副走査方向ＳＳの長さ未満に設定する。そして、トリミング処理部６２は、通常モードにおいて、入力読取画像データＤ１における原稿画像データＤ１１の内側に位置するように、トリミング枠２００を配置する。これに伴い、通常モードにおいては、原稿画像データＤ１１のうち、用紙前端１０１、用紙後端１０２、用紙左端１０３および用紙右端１０４のそれぞれに対応する部位が、トリミング枠２００よりも外側に位置する（除外対象となる）。
【００５０】
その結果、通常モードにおいてトリミング処理部６２から出力される、第１画像データの一例としての中間読取画像データＤ２は、図８（ｃ）に示すように、入力読取画像データＤ１から背景画像データＤ１２を除外し、且つ、原稿画像データＤ１１から原稿の周縁部すなわち用紙前端１０１、用紙後端１０２、用紙左端１０３および用紙右端１０４を除外したものとなる。すなわち、原稿画像データＤ１１の各端部を除いた中央部が、通常モードにおける中間読取画像データＤ２となる。
【００５１】
なお、通常モードにおいて実行される通常トリミング処理において中間読取画像データＤ２を作成する際に、背景画像データＤ１２だけでなく、原稿画像データＤ１１からさらに原稿の各端部に対応するデータを除外しているのは、次の理由による。
【００５２】
本実施の形態では、通常モードで原稿を読み取った読取画像データに基づいて画像形成装置１０で画像形成動作を行うことがある（複写動作）。このとき、読取画像データが原稿の各端部を含むものとなっていると、画像形成の対象となる用紙上に、原稿の各端部に起因するスジが記録されてしまうことになる。このため、通常モードでは、出力読取画像データＤ３の元となる中間読取画像データＤ２を作成する際に、原稿の各端部に対応するデータを除外している。
【００５３】
図９は、調整モードにおける読取画像処理の一例を説明するための図である。ここで、図９（ａ）はトリミング処理部６２に入力される入力読取画像データＤ１の内容を、図９（ｂ）はトリミング処理部６２が実行する「調整トリミング処理」の内容を、図９（ｃ）はトリミング処理部６２から出力され且つ読取画像記憶部６３に入力される、調整トリミング処理が施された中間読取画像データＤ２の内容を、それぞれ示した図である。ただし、図９（ａ）に示す入力読取画像データＤ１の基本的な構成は、図８（ａ）に示したものと同じであるので、ここではその詳細な説明を省略する。
【００５４】
では、図９（ｂ）に示す「調整トリミング処理」の内容について、図９（ｃ）に示す中間読取画像データＤ２も参照しつつ説明を行う。
調整モードにおいて、トリミング処理部６２は、図９（ｂ）に示すトリミング枠２００を用い、上述した通常モードと同様に、トリミング枠２００の内側に存在する画像データを抽出するとともに、トリミング枠２００の外側に存在する画像データを除外する処理（トリミング処理）を行う。
【００５５】
ここで、本実施の形態の調整モードにおいては、トリミング枠２００の大きさが、入力読取画像データＤ１と同じ大きさ、すなわち、原稿画像データＤ１１よりも大きく設定される。より具体的に説明すると、調整モードでは、トリミング枠２００の主走査方向ＦＳの長さを入力読取画像データＤ１の主走査方向ＦＳの長さと同じに設定し、且つ、トリミング枠２００の副走査方向ＳＳの長さを入力読取画像データＤ１の副走査方向ＳＳの長さと同じに設定する。そして、トリミング処理部６２は、調整モードにおいて、入力読取画像データＤ１の四方の端部と重なる位置に、トリミング枠２００を配置する。これに伴い、調整モードにおいては、原稿画像データＤ１１のうち、用紙前端１０１、用紙後端１０２、用紙左端１０３および用紙右端１０４のそれぞれに対応する部位が、トリミング枠２００よりも内側に位置する（抽出対象となる）。
【００５６】
その結果、調整モードにおいてトリミング処理部６２から出力される、第２画像データの一例としての中間読取画像データＤ２は、図９（ｃ）に示すように、原稿画像データＤ１１のすべてと背景画像データＤ１２のすべてとを包含したものとなる。すなわち、入力読取画像データＤ１が、そのまま、調整モードにおける中間読取画像データＤ２となる。
【００５７】
なお、調整モードにおいて実行される調整トリミング処理において中間読取画像データＤ２を作成する際に、原稿の各端部に対応するデータを包含させているのは、次の理由による。
【００５８】
本実施の形態では、調整モードでアライメントチャート１００（原稿）を読み取った読取画像データに基づいて、調整用画像解析部５３で調整用画像の解析を行うとともにずれ補正部５４でずれ補正を行う（アライメント調整動作）。このとき、用紙上の第１特徴点１２１、第２特徴点１２２、第３特徴点１２３および第４特徴点１２４に関し、相互の位置関係（主走査方向ＦＳの距離および副走査方向ＳＳの距離）に基づいて、トナー像形成部１１に起因する各色画像の相対的なずれの補正が行われる。また、このとき、用紙の用紙前端１０１、用紙後端１０２、用紙左端１０３および用紙右端１０４と、用紙上の前端側水平ライン１１１、後端側水平ライン１１２、左側垂直ライン１１３および右側垂直ライン１１４とに関し、相互の位置関係（主走査方向ＦＳの距離および副走査方向ＳＳの距離）に基づいて、用紙供給部１６および二次転写部１４に起因する用紙と画像との相対的なずれの補正が行われる。したがって、アライメント調整動作においては、アライメントチャート１００における調整用画像の情報だけでなく各端部の情報も必要となる。このため、調整モードでは、出力読取画像データＤ３の元となる中間読取画像データＤ２を作成する際に、原稿の各端部に対応するデータを包含させている。
【００５９】
本実施の形態では、通常モードと調整モードとで読取解像度が同じであるとすると、調整モードにおける中間読取画像データＤ２のデータ容量が、通常モードにおける中間読取画像データＤ２のデータ容量よりも大きくなる。このため、画像読取制御部６０に設けられた読取画像記憶部６３は、調整モードにおける中間読取画像データＤ２のデータ容量に見合ったメモリを用意しておく必要がある。
【００６０】
なお、本実施の形態では、調整モードにおいて、トリミング処理部６２が、入力読取画像データＤ１と大きさおよび位置を一致させたトリミング枠２００を用いた調整トリミング処理を施すことにより、入力読取画像データＤ１と内容が同じ中間読取画像データＤ２の作成を行っていたが、これに限られるものではない。例えば、調整モードでは、トリミング処理部６２によるトリミング処理を実行させないようにし、読取画像前処理部６１からトリミング処理部６２に入力されてくる入力読取画像データＤ１を、そのまま、中間読取画像データＤ２として読取画像記憶部６３に出力するようにしてもかまわない。
【００６１】
＜実施の形態２＞
本実施の形態は、実施の形態１とほぼ同様であるが、調整モードにおける調整トリミング処理の手法が実施の形態１とは異なる。なお、本実施の形態において、実施の形態１と同様のものについては、同じ符号を付してその詳細な説明を省略する。
【００６２】
図１０は、本実施の形態の調整モードにおける読取画像処理の一例を説明するための図である。ここで、図１０（ａ）はトリミング処理部６２に入力される入力読取画像データＤ１の内容を、図１０（ｂ）はトリミング処理部６２が実行する「調整トリミング処理」の内容を、図１０（ｃ）はトリミング処理部６２から出力され且つ読取画像記憶部６３に入力される、調整トリミング処理が施された中間読取画像データＤ２の内容を、それぞれ示した図である。ただし、図１０（ａ）に示す入力読取画像データＤ１の基本的な構成は、図８（ａ）に示したものと同じであるので、ここではその詳細な説明を省略する。
【００６３】
では、図１０（ｂ）に示す「調整トリミング処理」の内容について、図１０（ｃ）に示す中間読取画像データＤ２も参照しつつ説明を行う。
調整モードにおいて、トリミング処理部６２は、図１０（ｂ）に示すトリミング枠２００を用い、上述した通常モードと同様に、トリミング枠２００の内側に存在する画像データを抽出するとともに、トリミング枠２００の外側に存在する画像データを除外する処理（トリミング処理）を行う。
【００６４】
ここで、本実施の形態の調整モードにおいては、トリミング枠２００の大きさが、原稿画像データＤ１１よりも大きく且つ入力読取画像データＤ１よりも小さく設定される。より具体的に説明すると、調整モードでは、トリミング枠２００の主走査方向ＦＳの長さを、原稿画像データＤ１１の主走査方向ＦＳの長さ超且つ入力読取画像データＤ１の主走査方向ＦＳの長さ未満に設定し、且つ、トリミング枠２００の副走査方向ＳＳの長さを、原稿画像データＤ１１の副走査方向ＳＳの長さ超且つ入力読取画像データＤ１の副走査方向ＳＳの長さ未満に設定する。そして、トリミング処理部６２は、調整モードにおいて、入力読取画像データＤ１の内側且つ原稿画像データＤ１１の外側に位置するように、トリミング枠２００を配置する。これに伴い、調整モードにおいては、原稿画像データＤ１１のうち、用紙前端１０１、用紙後端１０２、用紙左端１０３および用紙右端１０４のそれぞれに対応する部位が、トリミング枠２００よりも内側に位置する（抽出対象となる）。
【００６５】
その結果、調整モードにおいてトリミング処理部６２から出力される中間読取画像データＤ２は、図１０（ｃ）に示すように、原稿画像データＤ１１のすべてと背景画像データＤ１２の一部（原稿画像データＤ１１の周縁となる部位）とを包含したものとなる。すなわち、原稿画像データＤ１１のすべておよび背景画像データＤ１２の外側端部を除いた中央部とが、調整モードにおける中間読取画像データＤ２となる。
【００６６】
本実施の形態においても、調整モードでは、出力読取画像データＤ３の元となる中間読取画像データＤ２を作成する際に、原稿の各端部に対応するデータを包含させることができる。それゆえ、アライメント調整動作において、調整用画像解析部５３およびずれ補正部５４を用いて、用紙に対する画像の位置補正を行うことが可能となる。
【００６７】
本実施の形態では、通常モードと調整モードとで読取解像度が同じであるとすると、調整モードにおける中間読取画像データＤ２のデータ容量が、通常モードにおける中間読取画像データＤ２のデータ容量よりも大きくなる。このため、実施の形態１と同様に、画像読取制御部６０に設けられた読取画像記憶部６３は、調整モードにおける中間読取画像データＤ２のデータ容量に見合ったメモリを用意しておく必要がある。ただし、このときに必要となるメモリ容量は、実施の形態１の場合よりも少なくて済む。
【００６８】
＜実施の形態３＞
本実施の形態は、実施の形態１とほぼ同様であるが、調整モードにおける調整トリミング処理の手法が実施の形態１とは異なる。なお、本実施の形態において、実施の形態１と同様のものについては、同じ符号を付してその詳細な説明を省略する。
【００６９】
図１１は、本実施の形態の調整モードにおける読取画像処理の一例を説明するための図である。ここで、図１１（ａ）はトリミング処理部６２に入力される入力読取画像データＤ１の内容を、図１１（ｂ）はトリミング処理部６２が実行する「調整トリミング処理」の内容を、図１１（ｃ）はトリミング処理部６２から出力され且つ読取画像記憶部６３に入力される、調整トリミング処理が施された中間読取画像データＤ２の内容を、それぞれ示した図である。ただし、図１１（ａ）に示す入力読取画像データＤ１の基本的な構成は、図８（ａ）に示したものと同じであるので、ここではその詳細な説明を省略する。
【００７０】
では、図１１（ｂ）に示す「調整トリミング処理」の内容について、図１１（ｃ）に示す中間読取画像データＤ２も参照しつつ説明を行う。
調整モードにおいて、トリミング処理部６２は、図１１（ｂ）に示すトリミング枠２００を用い、上述した通常モードと同様に、トリミング枠２００の内側に存在する画像データを抽出するとともに、トリミング枠２００の外側に存在する画像データを除外する処理（トリミング処理）を行う。
【００７１】
ここで、本実施の形態の調整モードにおいては、トリミング枠２００の大きさが、原稿画像データＤ１１のサイズよりも小さく設定される。より具体的に説明すると、調整モードでは、トリミング枠２００の主走査方向ＦＳの長さを、通常モードにおけるトリミング枠２００（図８（ｂ）参照）の長さ以下に設定し、且つ、トリミング枠２００の副走査方向ＳＳの長さを、通常モードにおけるトリミング枠２００（図８（ｂ）参照）の長さ以下に設定する。なお、この例では、調整モードにおけるトリミング枠２００の主走査方向ＦＳの長さを、通常モードにおけるトリミング枠２００の長さ未満に設定し、且つ、トリミング枠２００の副走査方向ＳＳの長さを、通常モードにおけるトリミング枠２００の長さ未満に設定している。そして、トリミング処理部６２は、調整モードにおいて、入力読取画像データＤ１内でいずれかの用紙端部を含むように、トリミング枠２００を配置する。なお、この例では、入力読取画像データＤ１における図中左上側の領域と重なるように、トリミング枠２００を配置している。これに伴い、調整モードにおいては、原稿画像データＤ１１のうち、用紙前端１０１の図中左側となる部位および用紙左端１０３の図中上側となる部位が、トリミング枠２００よりも内側に位置する（抽出対象となる）。また、原稿画像データＤ１１のうち、用紙前端１０１の図中右側となる部位、用紙左端１０３の図中下側となる部位、用紙後端１０２のすべておよび用紙右端１０４のすべてが、トリミング枠２００よりも外側に位置する（除外対象となる）。
【００７２】
その結果、調整モードにおいてトリミング処理部６２から出力される中間読取画像データＤ２は、図１１（ｃ）に示すように、原稿画像データＤ１１の図中左上側と背景画像データＤ１２の図中左上側とを包含したものとなる。
【００７３】
本実施の形態において、調整モードでは、出力読取画像データＤ３の元となる中間読取画像データＤ２を作成する際に、原稿の用紙後端１０２および用紙右端１０４に対応するデータは除外されるものの、用紙前端１０１の一部および用紙左端１０３の一部に対応するデータを包含させることができる。それゆえ、アライメント調整動作において、調整用画像解析部５３およびずれ補正部５４を用いて、用紙に対する画像の位置補正を行うことが可能となる。
【００７４】
本実施の形態では、通常モードと調整モードとで読取解像度が同じであるとすると、調整モードにおける中間読取画像データＤ２のデータ容量が、通常モードにおける中間読取画像データＤ２のデータ容量以下となる。このため、実施の形態１および実施の形態２とは異なり、画像読取制御部６０に設けられた読取画像記憶部６３は、通常モードにおける中間読取画像データＤ２のデータ容量に見合ったメモリを用意しておけばよいことになり、必要なメモリ容量の低減を図ることができる。
【００７５】
＜実施の形態４＞
本実施の形態は、実施の形態１とほぼ同様であるが、調整モードにおける調整トリミング処理の手法が実施の形態１とは異なる。なお、本実施の形態において、実施の形態１と同様のものについては、同じ符号を付してその詳細な説明を省略する。
【００７６】
図１２は、本実施の形態の調整モードにおける読取画像処理の一例を説明するための図である。ここで、図１２（ａ）はトリミング処理部６２に入力される入力読取画像データＤ１の内容を、図１２（ｂ）はトリミング処理部６２が実行する「調整トリミング処理」の内容を、図１２（ｃ）はトリミング処理部６２から出力され且つ読取画像記憶部６３に入力される、調整トリミング処理が施された中間読取画像データＤ２の内容を、それぞれ示した図である。ただし、図１２（ａ）に示す入力読取画像データＤ１の基本的な構成は、図８（ａ）に示したものと同じであるので、ここではその詳細な説明を省略する。
【００７７】
では、図１２（ｂ）に示す「調整トリミング処理」の内容について、図１２（ｃ）に示す中間読取画像データＤ２も参照しつつ説明を行う。
調整モードにおいて、トリミング処理部６２は、図１２（ｂ）に示すトリミング枠２００を用い、上述した通常モードと同様に、トリミング枠２００の内側に存在する画像データを抽出するとともに、トリミング枠２００の外側に存在する画像データを除外する処理（トリミング処理）を行う。
【００７８】
ここで、本実施の形態の調整モードにおいては、トリミング枠２００が２つに分割されている。すなわち、本実施の形態のトリミング枠２００は、第１トリミング枠２０１と第２トリミング枠２０２とを有している。
【００７９】
また、本実施の形態の調整モードにおいては、第１トリミング枠２０１および第２トリミング枠２０２を合わせたトリミング枠２００全体の大きさが、原稿画像データＤ１１のサイズよりも小さく設定される。また、トリミング枠２００を構成する第１トリミング枠２０１および第２トリミング枠２０２は、同じ大きさに設定されている。
【００８０】
そして、トリミング処理部６２は、調整モードにおいて、入力読取画像データＤ１内で用紙前端１０１、用紙後端１０２、用紙左端１０３および用紙右端１０４をそれぞれ含むように、トリミング枠２００（第１トリミング枠２０１および第２トリミング枠２０２）を配置する。なお、この例では、入力読取画像データＤ１における図中左上側の領域と重なるように、第１トリミング枠２０１を配置するとともに、入力読取画像データＤ１における図中右下側の領域と重なるように、第２トリミング枠２０２を配置している。これに伴い、調整モードにおいては、原稿画像データＤ１１のうち、用紙前端１０１の図中左側となる部位および用紙左端１０３の図中上側となる部位が、第１トリミング枠２０１よりも内側に位置する（抽出対象となる）。また、調整モードにおいては、原稿画像データＤ１１のうち、用紙後端１０２の図中右側となる部位および用紙右端１０４の図中下側となる部位が、第２トリミング枠２０２よりも内側に位置する（抽出対象となる）。一方、原稿画像データＤ１１のうち、用紙前端１０１の図中右側となる部位、用紙後端１０２の図中左側となる部位、用紙左端１０３の図中下側となる部位、および、用紙右端１０４の図中上側となる部位が、トリミング枠２００（第１トリミング枠２０１および第２トリミング枠２０２）よりも外側に位置する（除外対象となる）。
【００８１】
その結果、調整モードにおいてトリミング処理部６２から出力される中間読取画像データＤ２は、図１２（ｃ）に示すように、原稿画像データＤ１１の図中左上側と背景画像データＤ１２の図中左上側とを包含したもの、および、原稿画像データＤ１１の図中右下側と背景画像データＤ１２の図中右下側とを包含したもの、となる。
【００８２】
本実施の形態において、調整モードでは、出力読取画像データＤ３の元となる中間読取画像データＤ２を作成する際に、用紙前端１０１、用紙後端１０２、用紙左端１０３および用紙右端１０４の各一部に対応するデータを包含させることができる。それゆえ、アライメント調整動作において、調整用画像解析部５３およびずれ補正部５４を用いて、用紙に対する画像の位置補正を行うことが可能となる。
【００８３】
本実施の形態では、通常モードと調整モードとで読取解像度が同じであるとすると、調整モードにおける中間読取画像データＤ２のデータ容量が、通常モードにおける中間読取画像データＤ２のデータ容量以下となる。このため、実施の形態３と同様に、画像読取制御部６０に設けられた読取画像記憶部６３は、通常モードにおける中間読取画像データＤ２のデータ容量に見合ったメモリを用意しておけばよいことになり、必要なメモリ容量の低減を図ることができる。
【００８４】
なお、各実施の形態では、通常モードにおいて、原稿画像データＤ１１から原稿の各端部に対応する部位を除外して中間読取画像データＤ２を作成していたが、これに限られるものではなく、例えば原稿画像データＤ１１全体を切り取って中間読取画像データＤ２を作成するようにしてもかまわない。
【符号の説明】
【００８５】
１…複写機、１０…画像形成装置、２０…画像読取装置、３０…操作受付装置、４０…主制御部、５０…画像形成制御部、５１…形成画像処理部、５２…調整用画像記憶部、５３…調整用画像解析部、５４…ずれ補正部、６０…画像読取制御部、６１…読取画像前処理部、６２…トリミング処理部、６３…読取画像記憶部、６４…読取画像後処理部、１００…アライメントチャート
【図１】
2015029186.tif 000003
【図２】
2015029186.tif 000004
【図３】
2015029186.tif 000005
【図４】
2015029186.tif 000006
【図５】
2015029186.tif 000007
【図６】
2015029186.tif 000008
【図７】
2015029186.tif 000009
【図８】
2015029186.tif 000010
【図９】
2015029186.tif 000011
【図１０】
2015029186.tif 000012
【図１１】
2015029186.tif 000013
【図１２】
2015029186.tif 000014